(57)【要約】      （修正有）【課題】アッパーの取り付けは、しっかりとしているが快適でないか、快適であるが緩いかのどちらかである。サッカーシューズの場合、このことは、例えばボールを操るときに、足の動きを制御できなくする可能性があるのでこれを改善する。【解決手段】靴紐を伴わないアッパー４１０が、長手方向に伸長されるように構成された少なくとも１つの編組部分４２０と、少なくとも１つの編組なし部分４３０と、を備え、少なくとも１つの編組部分を長手方向に伸長させることにより、弾性的復元力が提供される。【選択図】図４Ａ
2018064931.tif 000002
【特許請求の範囲】
【請求項１】
靴紐を伴わないアッパーであって、
ａ．長手方向に伸長されるように構成された少なくとも１つの編組部分と、
ｂ．少なくとも１つの編組なし部分と、
を備え、
ｃ．前記少なくとも１つの編組部分を長手方向に伸長させることにより弾性的復元力が提供される、
アッパー。
【請求項２】
前記少なくとも１つの編組部分が、好ましくは足の楔状骨の領域に沿って、アッパーの内側部から外側部まで少なくとも一部延在する、請求項１に記載のアッパー。
【請求項３】
前記少なくとも１つの編組部分が、足中央領域を包み込む、請求項１または２に記載のアッパー。
【請求項４】
前記アッパーの爪先領域内に少なくとも１つの編組部分をさらに備える、請求項１〜３のいずれか１つに記載のアッパー。
【請求項５】
前記アッパーの踵領域内に少なくとも編組部分をさらに備える、請求項１〜４のいずれか１つに記載のアッパー。
【請求項６】
前記少なくとも１つの編組部分を少なくとも一部包囲する少なくとも１つのチャネルをさらに備える、請求項１〜５のいずれか１つに記載のアッパー。
【請求項７】
アッパーであって、
ａ．長手方向に伸長されるように構成された少なくとも１つの編組部分と、
ｂ．前記少なくとも１つの編組部分を少なくとも一部包囲する、少なくとも１つのチャネルと、
を備え、
ｃ．前記少なくとも１つの編組部分を長手方向に伸長させることにより弾性的復元力が提供される、
アッパー。
【請求項８】
前記少なくとも１つのチャネルが、前記アッパーの内側部から外側部まで少なくとも一部延在する、請求項７に記載のアッパー。
【請求項９】
前記少なくとも１つのチャネルが、足中央領域を包み込む、請求項７または８に記載のアッパー。
【請求項１０】
前記アッパーの爪先領域内に、少なくとも１つのチャネルおよび少なくとも１つの編組部分をさらに備える、請求項７〜９のいずれか１つに記載のアッパー。
【請求項１１】
前記アッパーの踵領域内に、少なくとも１つのチャネルおよび少なくとも１つの編組部分をさらに備える、請求項７〜１０のいずれか１つに記載のアッパー。
【請求項１２】
前記少なくとも１つのチャネルが、１２ｍｍから３０ｍｍの幅を有する、請求項６または７〜１１のいずれか１つに記載のアッパー。
【請求項１３】
前記少なくとも１つのチャネルが、前記アッパーの外側表面上に配置される、請求項６または７〜１２のいずれか１つに記載のアッパー。
【請求項１４】
前記少なくとも１つのチャネルが、前記アッパー内に組み込まれる、請求項６または７〜１３のいずれか１つに記載のアッパー。
【請求項１５】
複数の編組部分のための複数のチャネルを備える、請求項７〜１４のいずれか１つに記載のアッパー。
【請求項１６】
複数のチャネルが、前記アッパーの少なくとも一部において複数の層によって形成される、請求項１５に記載のアッパー。
【請求項１７】
少なくとも１つの層が、熱可塑性ポリウレタン、ＴＰＵを含む、請求項１６に記載のアッパー。
【請求項１８】
少なくとも１つの層が、メッシュを含む、請求項１６または１７に記載のアッパー。
【請求項１９】
少なくとも１つの層が、ネオプレン材料を含む、請求項１６〜１８のいずれか１つに記載のアッパー。
【請求項２０】
前記少なくとも１つの編組部分が、少なくとも１つのストラップとして形成される、請求項１〜６または７〜１９のいずれか１つに記載のアッパー。
【請求項２１】
前記少なくとも１つのストラップが、第１の合成ヤーンおよび第２の合成ヤーンを含み、前記第１の合成ヤーンが、前記第２の合成ヤーンとは異なる弾力性を有する、請求項２０に記載のアッパー。
【請求項２２】
前記第２の合成ヤーンが、前記ストラップの向きに沿って軸方向に延在する、請求項２１に記載のアッパー。
【請求項２３】
前記少なくとも１つの編組部分が、長手方向に予め伸長されるように、前記アッパー内に配置される、請求項１〜６または７〜２２のいずれか１つに記載のアッパー。
【請求項２４】
前記少なくとも１つの編組部分が、異なる歪み範囲において異なる弾力性を提供するように構成される、請求項１〜６または７〜２３のいずれか１つに記載のアッパー。
【請求項２５】
前記少なくとも１つの編組部分が、基本的に１００％の復元力を提供するように構成される、請求項１〜６または７〜２４のいずれか１つに記載のアッパー。
【請求項２６】
前記少なくとも１つの編組部分が、その初期長さの２０％まで伸長されるように構成される、請求項１〜６または７〜２５のいずれか１つに記載のアッパー。
【請求項２７】
請求項１〜２６のいずれか１つに記載のアッパーを備える靴。
【請求項２８】
ラスト内に少なくとも１つの編組部分をさらに備える、請求項２７に記載の靴。
【請求項２９】
インソール内に少なくとも１つの編組部分をさらに備える、請求項２７または２８に記載の靴。
【請求項３０】
請求項１〜２６のいずれか１つに記載のアッパーまたは請求項２７〜２９のいずれか１つに記載の靴を製造するための方法。
【発明の詳細な説明】
【技術分野】
【０００１】
本発明は、靴のためのアッパーに関する。さらに、本発明は、靴と、そのようなアッパーおよびそのような靴を製造するための方法とに関する。
【背景技術】
【０００２】
靴のためのアッパーが、一般に、複数の機能性を提供する。アッパーは、足を受容するための囲いを提供することに加えて、足の動きを安定させることができ、足を周囲環境から保護することができ、かつ、特定のスポーツシューズの場合には、運動家の要求に特に適応された表面を提供することすらできる。例えば、サッカーシューズが、ボールとの接触時に、改善された摩擦特性をアッパーに提供し得る。
【０００３】
アッパーの機能性の多くは、足とアッパーとの間のしっかりとした結合を必要とする。この目的のために、アッパーは、靴紐、マジックテープ（登録商標）、または靴を足に適切に固定する他のデバイスを使用して調節可能とされ得る。靴紐またはストラップを含む様々なアッパーが、例えば、米国特許出願公開第２０１４／０１９６３１６号明細書、米国特許第７，５６８，２９８号明細書、米国特許第７，５７４，８１８号明細書、米国特許第８，７４５，８９５号明細書、米国特許出願公開第２００４／０１８１９７２号明細書、米国特許第６，０５２，９２１号明細書、米国特許出願公開第２００６／０１９８１１６４号明細書、米国特許第５，２９１，６７１号明細書、米国特許第７，１３４，２２４号明細書、米国特許第６，３２４，７７３号明細書、およびＣＮ２０４２０７１６３から知られている。さらに、Ｎｉｋｅ社は、着用者の足の周りに織物のシステムを含む、「Ｎｉｋｅ  Ｆｉｎｇｅｒｔｒａｐ  Ｍａｘ」と名付けられた靴を提供する。
【０００４】
しかし、靴アッパーにおける靴紐の使用は、かなりの欠点を有する。靴紐は、特に過度にきつく締め付けられた場合に、表皮を貫通する可能性がある。さらに、靴紐は、サッカーでのシュートなどの足がボールと強く相互作用するスポーツ活動中に、損傷をもたらす可能性もある。
【０００５】
このような損傷を回避するために一般に知られている選択肢は、靴紐を伴わないアッパーを提供することである。
【０００６】
米国特許第３，９３１，６８５号明細書は、フットボール競技者による使用のための伸縮素材で覆われた運動靴を開示しており、この運動靴では、従来の靴の締め紐が、靴と一体でかつ靴の足背部分を形成する弾性パネルに置き換えられており、前述のパネルは、着用者のくるぶしを包み込むチューブ状弾性部材と一体に接続するように延長されており、前述の弾性パネルおよびチューブは、靴を着用者の足上にしっかりと保持するのに役立つ。
【０００７】
米国特許出願公開第２０１５／０００７４５１号明細書は、アッパーの全てを覆う単一の編組構造を有する編組アッパーを含む、履物製品を開示している。編組アッパーの単一の編組構造は、個々の活動に合わせた特定の特徴を有して特別設計され得る。アッパーの様々な領域が、様々な編組構造を有し得る。
【０００８】
しかし、従来技術のアッパーは、軽量でもなく、好ましい履き心地を提供するように構成されてもいない。典型的には、アッパーの取り付けは、しっかりとしているが快適でないか、快適であるが緩いかのどちらかである。サッカーシューズの場合、このことは、例えばボールを操るときに、足の動きを制御できなくする可能性がある。
【先行技術文献】
【特許文献】
【０００９】
【特許文献１】米国特許出願公開第２０１４／０１９６３１６号明細書
【特許文献２】米国特許第７，５６８，２９８号明細書
【特許文献３】米国特許第７，５７４，８１８号明細書
【特許文献４】米国特許第８，７４５，８９５号明細書
【特許文献５】米国特許出願公開第２００４／０１８１９７２号明細書
【特許文献６】米国特許第６，０５２，９２１号明細書
【特許文献７】米国特許出願公開第２００６／０１９８１１６４号明細書
【特許文献８】米国特許第５，２９１，６７１号明細書
【特許文献９】米国特許第７，１３４，２２４号明細書
【特許文献１０】米国特許第６，３２４，７７３号明細書
【特許文献１１】中国特許第２０４２０７１６３号明細書
【特許文献１２】米国特許第３，９３１，６８５号明細書
【特許文献１３】米国特許出願公開第２０１５／０００７４５１号明細書
【発明の概要】
【発明が解決しようとする課題】
【００１０】
したがって、本発明の根本的な課題は、上述の不備を少なくとも一部克服することである。
【課題を解決するための手段】
【００１１】
上述の課題は、（ａ．）長手方向に伸長されるように構成された少なくとも１つの編組部分（braid portion）と、（ｂ．）少なくとも１つの編組なし部分（braid-free portion）と、を備え、（ｃ．）少なくとも１つの編組部分を長手方向に伸長させることにより弾性的復元力が提供される、靴紐を伴わないアッパーによって、少なくとも一部解決される。
【００１２】
上述の従来技術では、靴紐を伴わないアッパー内での着用者の足の向上された快適さが、アッパー全体に編組を含むことによって提供されるが、本発明は、異なる手法に基づく。本発明では、アッパーは、１つまたは複数の編組部分に加えて、少なくとも１つの編組なし部分を含む。本発明者らは、そのような構成は、重量を減少させるが少なくとも１つの編組部分によりなおもしっかりとしたフィット感を提供することを見いだした。いかなる重量も着用者の足の動きを邪魔することになるので、アッパーの重量は、重要な因子である。本発明者らは、注意深く位置決めされた１つまたは複数の編組部分があれば、アッパーを足にしっかりとかつ快適に取り付けさせるのに十分であることを認識した。少なくとも１つの編組なし部分を有することもまた、靴の通風特性などの、靴の他の特性を改善し得る。このこともやはり、スポーツシューズのためのアッパーにとって特に重要である。
【００１３】
編組部分は、足の挿入時に長手方向に伸長され、この伸長は、編組部分が足の表面上にしっかりと配置されるように、弾性的復元力を提供する。アッパー内で足が動く場合、伸長された編組部分は、長手方向の伸長と同じ方向にさらに伸長され得る。この追加的な伸長は、長手方向に対抗する弾性的復元力を増大させる。結果として、編組部分は、アッパー内で足を確実に密着させることが可能である。
【００１４】
さらに、またはその代わりに、長手方向とは別の方向に、例えば、長手方向に垂直に、追加的な伸長が生じ得る。これは、足の表面上の摩擦によるものである。したがって、この追加的な伸長もまた、上述のように弾性的復元力を増大させ得る。
【００１５】
上記の機能性は、編組部分と編組なし部分とを組み合わせるアッパーによって提供され得る。結果として、本発明は、極端な足の動きに対してすら適した傑出した足の保持と、標準的な編組なしアッパーによって提供される快適さとを結合させる。
【００１６】
１つの実施形態では、少なくとも１つの編組部分は、好ましくは足の楔状骨の領域に沿って、アッパーの内側部から外側部まで少なくとも一部延在する。より具体的な実施形態では、少なくとも１つの編組部分は、足中央領域を包み込み得る。本発明者らは、足のそれらの領域がアッパー内で足を確実に密着させるための重要なものであることを認識した。例えば、サッカー競技者などの着用者が別のサッカー競技者と争っている場合、アッパーは、アッパーの編組された足中央領域においてぴったりとフィットすることにより、十分な安定性を提供し得る。
【００１７】
１つの実施形態では、アッパーは、アッパーの爪先領域内に、少なくとも１つの編組部分をさらに備える。より具体的な実施形態では、アッパーは、アッパーの踵領域内に、少なくとも１つの編組部分を備え得る。
【００１８】
編組部分のそのような構成は、特に、足の爪先領域および踵は着用者の運動にとって重要な接触点となるので、アッパー内の足の安定性をさらに向上させ得る。爪先領域は、踵領域から最も離れた所に配置され、すなわち、これら２つの領域における安定性を改善すれば、靴紐を伴わない靴内での足のいかなる滑りをも回避するのに十分であり得る。
【００１９】
１つの実施形態では、アッパーは、少なくとも１つの編組部分を少なくとも一部包囲する、少なくとも１つのチャネルをさらに備える。より具体的な実施形態では、少なくとも１つのチャネルは、１２ｍｍから３０ｍｍ、好ましくは１４ｍｍから２６ｍｍ、より好ましくは１９ｍｍから２４ｍｍの幅を有する。編組部分を包囲するためのチャネルを設けることにより、チャネルが足と編組部分との間に向上された摩擦を提供し得るので、上記の機能性がさらに支援され得る。さらに、そのようなチャネルは、編組部分を部分的にまたは完全に外側に対して隠すことができ、したがって、外側は、従来の靴におけるように設計されるか、または、アッパー表面の特定の特性を備えることができる。さらに、編組部分は、伸長したときに弾性的復元力により自由に収縮し得るように、そのようなチャネル内で自由に移動してもよい。したがって、アッパー内の足の向上された安定性が提供され得る。
【００２０】
１つの実施形態では、少なくとも１つのチャネルは、アッパーの外側表面上に配置される。別の実施形態では、少なくとも１つのチャネルは、アッパー内に組み込まれ得る。チャネルのそのような構成は、運動時の向上した安定性およびアッパーの減少した重量に関する上述の利点を提供するだけでなく、足の動きのより良好な制御をさらに提供する。例えば、少なくとも１つのチャネルをアッパー内に組み込むことにより、少なくとも１つの編組部分は、アッパーにしっかりと接続され、したがって、足からアッパーへのエネルギー伝達の損失が減少され得る。
【００２１】
１つの実施形態では、アッパーは、複数の編組部分のための複数のチャネルを備える。より具体的な実施形態では、複数のチャネルは、アッパーの少なくとも一部において複数の層によって形成され得る。さらに、少なくとも１つの層が、熱可塑性ポリウレタン、ＴＰＵを含み得る。さらに、少なくとも１つの層が、メッシュを含み得る。さらに、少なくとも１つの層が、ネオプレン材料を含み得る。
【００２２】
これらの実施形態の全ては、スポーツ活動時に向上された安定性を足に提供する、同一の思想に従う。本発明者らは、複数の編組部分を複数のチャネル内に配置することにより上記の機能性がさらに支援され得ることを認識した。チャネルは、様々な材料特性を有する複数の層を成形することによって形成され得る。例えば、安定性と柔軟性との間の良好な折衷案を提供するために、テキスタイル層が、異なる弾性特性を有するＴＰＵ層に付着されてもよい。次いで、１つまたは複数の型が、付着された層内に複数の空洞を作りだしてもよく、また、追加的な層、例えばメッシュが、複数のチャネルを形成するために、複数の空洞を覆ってもよい。結果として、アッパーが、スポーツ活動時の足のより良好な制御と好ましい履き心地とを備え得る。
【００２３】
１つの実施形態では、少なくとも１つの編組部分は、少なくとも１つのストラップとして形成される。より具体的な実施形態では、少なくとも１つのストラップは、第１の合成ヤーンおよび第２の合成ヤーンを含むことができ、第１の合成ヤーンは、第２の合成ヤーンとは異なる弾力性を有することができる。さらに、第２のヤーンは、ストラップの向きに沿って軸方向に延在し得る。本発明者らは、そのようなストラップは上述の機能性を向上させ得ることに気付いた。したがって、少なくとも１つの編組部分から形成された少なくとも１つのストラップは、足に正確にかつしっかりとフィットするためのアッパーの改善された安定性と弾力性との間の良好な折衷案を提供し得る。さらに、合成ヤーンの様々な組合せを有するそのようなストラップを提供することにより、足へのアッパーのより適応性のあるフィット感を得ることができる。さらに、軸方向の第２のヤーンは、ストラップの様々な弾力性を提供し得る。例えば、ストラップの弾性的復元力は、軸方向の第２のヤーンの長さを超えてストラップを伸長させた場合に、著しく高まる。軸方向の第２のヤーンの数もまた、この効果に影響を及ぼし得る。あるいは、軸方向の第２のヤーンの長さおよび材料特性は、ストラップが特定の限界を超えて伸長され得ないように、選択されてもよい。
【００２４】
１つの実施形態では、少なくとも１つの編組部分は、第１の方向に予め伸長されるように、アッパー内に配置される。この予め伸長させることは、長手方向の伸長に対抗する上述の弾性的復元力をさらに増大させ得る。結果として、そのような実施形態は、向上された安定性をアッパー内の足に提供することができる。したがって、着用者は、着用者の要求に対応するアッパーの安定性を、製造の前に個人的に選択することができる。
【００２５】
１つの実施形態では、少なくとも１つの編組部分は、異なる歪み範囲において異なる弾力性を提供するように構成される。本発明者らは、そのような実施形態は、サッカー競技者などの運動家のスポーツ活動に改善された能力を提供し得ることを見いだした。例えば、試合中にサッカー競技者がゆっくりと走る場合、生じ得る歪みが少なくなり、したがって、少なくとも１つの編組部分が有し得る弾力性が低くなり、したがって、足は、編組の減少した弾性的復元力を受ける。別のサッカー競技者との争いおよび／または攻撃中に足が動く場合には、生じ得る歪みはより多くなり、したがって、少なくとも１つの編組部分は、ますます高くなる弾力性を有することになり、このことは、編組が比較的高い弾性的復元力を提供することを意味する。結果として、より高い安定性を足に提供するために、編組のある種のロックアウト効果（lock-out effect）が引き起こされる。
【００２６】
１つの実施形態では、少なくとも１つの編組部分は、基本的に１００％の復元力を提供するように構成され得る。これに関連して、「基本的に１００％の復元力」という用語は、変形をもたらす力が取り除かれたときに基本的にその初期の長さおよびサイズに戻る、編組部分の能力として理解されるべきである。基本的にとは、靴の構造に対して適切な程度までを意味する。したがって、そのような編組部分は、伸長された後にその初期長さまで何度も戻ることができる。したがって、編組部分の望ましくない摩耗、したがってアッパー材料の望ましくない摩耗が、回避され得る。さらに、編組部分の望ましくない塑性変形、したがってアッパー材料の望ましくない塑性変形もまた、回避され得る。
【００２７】
１つの実施形態では、少なくとも１つの編組部分は、その初期長さの２０％まで、好ましくは１０％まで、より好ましくは５％まで伸長されるように構成される。例えば、編組部分は、編組部分が特定の限界を超えて伸長され得ないように、上述のような軸方向に延在する選択された第２のヤーンを含み得る。さらに、またはその代わりに、編組材料の密度が、それらの伸長値（stretching value）に達するように選択され得る。
【００２８】
本発明の別の態様によれば、アッパーが、（ａ．）長手方向に伸長されるように構成された少なくとも１つの編組部分と、（ｂ．）少なくとも１つの編組部分を少なくとも一部包囲する、少なくとも１つのチャネルと、を備え、（ｃ．）少なくとも１つの編組部分を長手方向に伸長させることにより、弾性的復元力が提供される。
【００２９】
そのようなアッパーは、アッパーの表面上のより良好な摩擦を提供するために少なくとも１つの編組部分が覆われ得る可能性を提供し得る。例えば、このアッパーがサッカーシューズに使用された場合、着用者は、ボールに接触するときに、少なくとも１つの編組部分によって邪魔され得ない。
【００３０】
さらに、またはその代わりに、長手方向とは別の方向に、例えば、長手方向に垂直に、追加的な伸長が生じ得る。これは、足の表面上の摩擦によるものである。したがって、この追加的な伸長もまた、上述のように弾性的復元力を増大させ得る。
【００３１】
１つの実施形態では、少なくとも１つのチャネルは、アッパーの内側部から外側部まで少なくとも一部延在する。さらに、アッパーは、アッパーの爪先領域内に、少なくとも１つのチャネルおよび少なくとも１つの編組部分を備え得る。さらに、アッパーは、アッパーの踵領域内に、少なくとも１つのチャネルおよび少なくとも１つの編組部分を備え得る。
【００３２】
さらなる態様によれば、本発明は、本発明によるそのようなアッパーを備える靴に関する。
【００３３】
１つの実施形態では、靴は、ラスト（ｌａｓｔ）内に少なくとも１つの編組部分をさらに備える。さらに、靴は、インソール内に少なくとも１つの編組部分をさらに備え得る。そのような実施形態は、向上された安定性を靴内の足に提供することができ、したがって、着用者の能力を改善することもできる。したがって、少なくとも１つの編組部分の上述の機能性が、さらに改善され得る。
【００３４】
さらなる態様によれば、本発明は、本発明によるそのようなアッパーまたは靴を製造するための方法に関する。
【００３５】
本発明の可能な実施形態は、以下の詳細な説明において、以下の図面を参照しながらさらに詳細に説明される。
【図面の簡単な説明】
【００３６】
【図１Ａ】本発明による、編組部分、および編組部分を包囲するためのチャネルの図である。
【図１Ｂ】本発明による、編組部分、および編組部分を包囲するためのチャネルの図である。
【図１Ｃ】本発明による、編組部分、および編組部分を包囲するためのチャネルの図である。
【図１Ｄ】本発明による、編組部分、および編組部分を包囲するためのチャネルの図である。
【図１Ｅ】本発明による、編組部分、および編組部分を包囲するためのチャネルの図である。
【図１Ｆ】本発明による、編組部分、および編組部分を包囲するためのチャネルの図である。
【図２】本開示の特定の態様による、アッパーの可能な実施形態を縫い合わせるための例示的な方法ステップのための工程流れ図である。
【図３】本開示の特定の態様による、アッパーの可能な実施形態の弾力性に対する図である。
【図４Ａ】本発明による、靴紐を伴わないアッパーを含むサッカーシューズの可能な実施形態の図である。
【図４Ｂ】本発明による、靴紐を伴わないアッパーを含むサッカーシューズの可能な実施形態の図である。
【図５】本発明の別の態様による、サッカーシューズの可能な実施形態の図である。
【発明を実施するための形態】
【００３７】
以下において、アッパーおよびサッカーシューズに特に関連して、本発明の可能な実施形態および変形形態が説明される。しかし、本発明の概念は、バスケットボール、アメリカンフットボール、ラグビー、野球、スノーボード、ランニング、陸上競技などのための任意のアッパーまたはスポーツシューズ、または、スニーカー、スリッパ、モカシン、等のような任意の娯楽用シューズ、ならびに衣服などのスポーツ用衣料に、全く同じにまたは同様に適用され得る。
【００３８】
さらに、話を簡単にするために、限られた数の実施形態のみが以下において説明される。しかし、当業者は、これらの実施形態を参照して説明される具体的な特徴が異なるように修正および結合され得ること、ならびに、特定の実施形態のいくつかの態様が省略されてもよいことを、認識するであろう。さらに、以下の詳細な説明で説明される態様は、上記の概要セクションで説明された態様と組み合わせられ得ることに留意されたい。
【００３９】
図１Ａ〜１Ｆは、本発明による、編組部分１００、および編組部分１００を包囲するためのチャネル１５０を提示する。
【００４０】
少なくとも１本のヤーンを絡み合わせることにより、編組部分が形成され得る。図１Ａに示された例では、第１の合成ヤーン１１０が絡み合わせられて、隙間の空いた構造を有する編組部分１００を形成し得る。さらに、編組部分１００は、ストラップ１０５として形成されてもよく、その場合、ストラップ１０５は、第１の合成ヤーン１１０に加えて第２の合成ヤーン１２０をさらに含み得る。第１の合成ヤーン１１０は、第２の合成ヤーン１２０とは異なる弾力性を有してもよい。第１および第２の合成ヤーンが同一の弾力性を有し得ることも考えられる。
【００４１】
図１Ａの実施形態では、第１の合成ヤーン１１０は、ポリエステルなどの塑性材料から作られてもよく、および／または、第２の合成ヤーン１２０は、スパンデックス、ポリエチレン、またはゴムなどの塑性材料から作られてもよい。そのようなヤーンは、複数の製造業者から入手可能である。当業者に一般に良く知られている任意の他の適切な材料が使用され得ることも、考えられる。
【００４２】
１つの実施形態では、編組部分は、ストランド、フィラメント、または他の繊維を絡み合わせることによって形成され得る。さらに、編み組は、図１Ａおよび１Ｃに示された例におけるように、ストラップなどの３次元構造を形成するために使用され得る。さらに、編み組された構造は、手作業で作製されてもよく、または、自動編組機械を使用して作製されてもよい。
【００４３】
図１Ａの実施形態では、第２の合成ヤーン１２０は、ストラップ１０５の向きに沿って軸方向に延在し得る。この方向は、編組部分１００が伸長されるように構成され得る、第１の方向として選択され得る。そのような構成は、第１の方向に沿った編組部分１００の弾性的復元力を増大させることができ、したがって、少なくとも１つの編組部分１００を備えるアッパーの安定性に対する上述の機能性を向上させることができる。第２の合成ヤーン１２０が、２本以上のヤーンまたは２本以上の撚ったヤーンに置き換えられ得ることも、考えられる。そのようなヤーンは、ストラップ１０５の全体的な弾力性が選択的に変更され得るように、軸方向に延在し得る。着用者の足の形状に応じて、ストラップ１０５は、従来技術で知られているような大量生産のシューズとは対照的に、より良好なフィット感を提供するように調整され得る。
【００４４】
図１Ｂは、編組部分１００などの複数の編組部分を包囲するための複数のチャネル１５０の概略図を提示する。ここで、複数のチャネル１５０は、複数の層によって形成され得る。例えば、複数のチャネル１５０は、サンドイッチ構造で提供され得る。これに関連して、第１の層１５０ａおよび第２の層１５０ｂが、製造前ステップ（図示せず）において取り付けられ得る。第１の層１５０ａは、テキスタイル材料、例えばニットを含んでもよく、第２の層１５０ｂは、熱可塑性ポリウレタン（ＰＴＵ）を含んでもよい。第２の層１５０ｂは、外側フォイルとして第１の層１５０ａの第１の表面に取り付けられてもよい。第１の製造ステップにおいて、ホットメルトなどの接着材料が第１の層１５０ａの第２の表面上に塗られ、雄雌の型および２つの層が押し付け合わされ得る。その結果、複数の空洞１６０が作り出され得る。例えば、雄雌の型および２つの層は、ホットプレス機により、１３０℃の温度で５０ｋｇの重りを用いて６０秒間の間、押し付け合わされ得る。第２の製造ステップにおいて、メッシュを含み得る第３の層１５０ｃが、複数の空洞１６０を閉鎖するために、すなわち複数のチャネル１５０を形成するために、第１の層１５０ａの第２の表面上に取り付けられ得る。
【００４５】
１つの実施形態では、複数のチャネル１５０は、ポリウレタン（ＰＵ）および／またはＴＰＵを含む２つの層で形成され、２つの層は、ホットプレス工程において押し付け合わされ得る。別の実施形態では、編組部分１００は、編まれたメッシュの上部で縁に沿って、例えばジグザグステッチで縫い合わせられてもよい。さらに、この縫い合わせられた編組部分は、熱および圧力を加えることによりＴＰＵ層および／またはＰＵ層で覆われてもよい。さらに、またはその代わりに、縫い合わせられた編組部分に追加の層が与えられなくともよい。
【００４６】
図１Ｃは、図１Ａに示されたような編組部分１００、および複数のチャネル１５０のうちの１つのチャネルを提示する。チャネル１５０は、上記で説明したようにサンドイッチ構造で形成され得る。編組部分１００は、手作業でチャネル１５０内に挿入されてもよい。チャネル１５０は、１２ｍｍから３０ｍｍ、好ましくは１４ｍｍから２６ｍｍ、より好ましくは１９ｍｍから２４ｍｍの幅を有し得る。チャネル１５０のそのような寸法は、編組部分１００を含むアッパーの改善された安定性と柔軟性との間の良好な折衷案を提供し得る。
【００４７】
図１Ｄは、編組部分１００の断面の概略図を提示する。これに関連して、編組部分１００は、第１の層１５０ａ上に配置されてもよく、第１の層１５０ａは、テキスタイル材料、例えばニットを含み得る。さらに、ＴＰＵおよび／またはＰＵを含み得る第２の層１５２が、編組部分１００の上部に保護層として使用されてもよい。第２の層１５２は、下層の編組と共に伸長されるように構成された（例えば、Ｓａｎｆａｎｇ社から市販されているような）柔軟なＴＰＵ層として設けられ得るように、ホットメルトまたはＴＰＵスプレー被覆として設けられ得る。したがって、編組部分は、上述のように着用者の足に改善された安定性を提供するために、自由に移動可能でありしたがってなおも伸長可能であり得る。さらに、またはその代わりに、複数のさらなる層が、第２の層１５２の上部に、および／または第１の層１５０ａの下部に、および／またはそれらの間に、配置されてもよい。
【００４８】
図１Ｅは、編組部分１００の代替的実施形態の断面の概略図を提示する。ここで、編組部分１００は、第１の層１５０ａ上に配置されてもよく、第２の層１５２は、図１Ｄと同様に、編組部分１００の上部に保護層として使用されてもよい。図１Ｅに概略的に見られるように、編組部分１００の断面領域は、長方形などの整然とした形状を備え得る。さらに、またはその代わりに、他の複数の幾何形状のうちの１つ、例えば、円形、三角形、等が、編組部分１００の断面領域に与えられてもよい。また、図１Ｄに示されるような不規則な断面領域も可能である。さらに、編組部分１００は、２つの層１５０ａと１５２との間に固定されてもよい。例えば、編組部分１００は、以下でより詳細に説明するように、シーム１５３により縁に沿って縫い合わせられてもよい。
【００４９】
図１Ｆは、編まれた層１５０ａ、例えば図１Ｄに関連する第１の層などの編まれたメッシュの上部に、編組部分１００などの少なくとも１つの編組部分（図１Ｅには示されていない）がその縁に沿ってジグザグステッチされ得る可能性を提示する。任意の他の適切なステッチ技法が使用され得ることも考えられる。したがって、編組部分は、編組部分の中間領域が固定されないように、編まれた層１５０ａ上に縁において固定され得る。さらに、図１Ｄに関連する保護層１５２などのＴＰＵ層が、編組部分を外的影響から保護するために、編組部分の上部に加えられ得る。さらに、またはその代わりに、編組部分を伸長させるために、編まれた層もまた、編組部分と同時に伸長され得るように、伸長可能であってもよい。
【００５０】
別の実施形態では、少なくとも１つの編組部分１００は、編成工程などの製造工程中に、アッパー材料に、例えば編まれた層１５０ａに、直接組み込まれ得る。さらに、またはその代わりに、そのような実施形態は、編組部分１００の中間領域もまた編まれた層１５０ａに固定され得る可能性を提供する。
【００５１】
図２は、本開示の特定の態様による、靴紐を伴わないアッパー２３５の可能な実施態様を縫い合わせるための例示的な方法ステップ２００のための工程流れ図を提示する。方法ステップ２００は、例えば、製造システムによって実行され得る。
【００５２】
方法ステップ２００は、上述のような３つの編組部分を（甲革構成要素２１３の内側に）含む甲革構成要素２１３を用意することにより、ステップ２１０から始まり得る。さらに、３つの編組部分は、図１Ｃにおいて挙げられたチャネルによって包囲され得る。さらに、チャネルは、甲革構成要素２１３内に組み込まれ得る。ステップ２１０において、編組なし部分を含み得るカラー構成要素２１６および踵構成要素２１９も、用意され得る。ステップ２１０は、中央コンピュータユニット（図２には示されていない）によって制御されてもよく、かつ／または、１人以上の人員によって設定および監督されてもよいことが、考えられる。
【００５３】
次のステップ２２０として、３つの構成要素２１３、２１６、および２１９は、２次元的アッパー２２５を形成するために継合され得る。例えば、カラー構成要素２１６および踵構成要素２１９は、縫い合わされ得る。さらに、甲革構成要素２１３は、２次元的アッパー２２５を形成するために、踵構成要素２１９に縫い付けられ得る。接着、溶接、または熱エネルギーの印加などにより各構成要素が互いに結合され得ることも考えられる。
【００５４】
最後のステップ２３０において、縫い合わせられた２次元的アッパー２２５は、靴紐を伴わない３次元的な完成したアッパー２３５を形成するために、ラスト上に貼り付けられ得る。
【００５５】
図３は、本開示の特定の態様による、靴紐を伴わないアッパー、例えばアッパー２３５の可能な実施形態の弾力性に対する図を提示する。本出願において、「弾力性」という用語は、弾性変形領域におけるその応力−歪み曲線の傾きとして定義される。言い換えれば、変形を生じさせる力である歪みは、変形によってもたらされる一部の長さパラメータの変化と長さパラメータの元の値との比率である応力に比例する。したがって、弾力性は、応力と歪みとの比率である。図３に見られるように、アッパー２３５に印加される応力は、歪みに合わせて測定された。結果として、アッパー２３５は、０％から１５％の第１の歪み範囲では、第１の弾力性を提供し、１５％から２５％の第２の歪み範囲では、第１の弾力性よりも高い第２の弾力性を提供し得る。したがって、アッパー２３５は、弾力性の遷移を提供し得る。したがって、サッカーシューズなどのスポーツシューズに使用される本発明によるアッパーは、第１の歪み範囲に低い弾力性を提供して、アッパーを着用者の足の形状になじませるためにアッパー材料のわずかな伸長を伴ってサッカー競技者がスポーツシューズを履くことを可能にし得る。さらに、アッパーは、第２の範囲により高い弾力性を提供することができ、その場合、サッカー競技者は、別のサッカー競技者と争うことができ、かつ／または、攻撃を行う、すなわち、アッパーに高度の荷重をかけて高強度の動きを行うことができる。上述のように、そのようなアッパーは、サッカー競技者の能力を改善し得る。さらに、編組部分が、アッパーを形成するために縫い合わせられる前に、予め伸長され得る場合、弾力性は、なお一層高い値に達し得る。
【００５６】
１つの実施形態では、アッパー２３５は、基本的に１００％の復元力を提供するように構成された、少なくとも１つの編組部分を含み得る。例えば、アッパー２３５は、着用者がアッパー２３５を身につけた後で着用者の足がしっかりと保持され得るように、アッパー２３５の足前方領域に基本的に１００％の復元力を提供するそのような編組部分を含み得る。
【００５７】
図４Ａ〜４Ｂは、本発明による、靴紐を伴わないアッパー４１０を含むサッカーシューズ４００の可能な実施形態を提示する。
【００５８】
図４Ａに見られるように、サッカーシューズ４００は、側面図および上面図で提示されている。サッカーシューズ４００は、靴紐を伴わないアッパー４１０を含む。このアッパー４１０は、３つの編組部分４２０（図示せず）と、３つの編組部分４２０の間およびアッパー４１０の残りの部分内に配置され得る１つ以上の編組なし部分４３０とを備え得る。さらに、３つの編組部分４２０は、長手方向に伸長されるように構成されてもよく、その場合、この長手方向の伸長は、弾性的復元力を提供し得る。さらに、長手方向の伸長と同じ方向における追加的な伸長は、３つの編組部分４２０がアッパー４１０内で足を確実に密着させることが可能であるように、長手方向の伸長に対抗する弾性的復元力を増大させ得る。これが、アッパー４１０内の足に対する改善された安定性のための、上述の機能性である。３つの編組部分４２０は、好ましくは足の楔状骨の領域に沿って、アッパー４１０の内側部から外側部まで延在し得る。さらに、３つの編組部分４２０は、足中央領域を包み込んでもよく、かつ、アッパー４１０内に組み込まれ得るチャネルによって包囲されてもよい。３つの編組部分４２０の形状は、アッパー４１０の外側表面上に見られてもよい。さらに、３つの編組部分４２０は、実質的に平行に延在してもよい。３つの編組部分４２０のそれぞれが、足の特定の部分または足の筋肉に対応する方向に別々に延在し得ることも、考えられる。上記のように、３つの編組部分４２０のそのような構成は、サッカーシューズ４００のアッパー４１０内の足の向上された安定性を提供することができ、また、靴紐を必要とすることなく、動きの制御を提供することができる。したがって、アッパー４１０は、皮下出血などの皮膚損傷を回避することができる。例えば、サッカーシューズ４００は、サッカーボールなどのスポーツ用品をより良好に制御することを可能にし得る。編組部分は、好ましい履き心地を提供し得るので、例えば特別チームのキッカーなどのアメリカンフットボール競技者、またはサイクリストのためのシューズといった、他のタイプのスポーツシューズも同様に、そのような編組部分４２０から恩恵を受けることができる。
【００５９】
図４Ａの実施形態では、サッカーシューズ４００は、アッパー４１０の踵部分内に配置され得る安定性要素４４０をさらに備え得る。さらに、安定性要素４４０は、サッカーシューズ４００のソールユニットからアッパー４１０まで延在し得る。そのような要素は、足の踵部分がアッパー４１０の内側にしっかりと保持され得るので、さらなる安定性を提供することができる。例えば、サッカー競技者は、加速運動、減速運動、および側方運動などのスポーツ活動中により高い安定性を提供するそのようなサッカーシューズ４００を用いて、その能力を向上させることができる。
【００６０】
図４Ｂは、さらなる実施形態を提示する。ここで、サッカーシューズ４００は、上述のような少なくとも１つのチャネル（図示せず）によって包囲され得る少なくとも１つの編組部分４２０を含む、靴紐を伴わないアッパー４１０を備える。さらに、少なくとも１つのチャネルは、アッパー４１０内に組み込まれ得る。図４Ａとは対照的に、少なくとも１つの編組部分４２０の形状は、アッパー４１０の外側表面上に見ることができない。さらに、サッカーシューズ４００は、少なくとも１つの編組なし部分も備え得る。
【００６１】
この実施形態がより平滑な外側表面を提供し得る可能性は、着用者の能力をさらに向上させ得る。例えば、サッカー競技者が、ボールをより良好に制御することができ、したがって、裸足でのプレーなどボールとより良好に相互作用することができる。さらに、サッカーシューズ４００は、アッパー４１０の踵部分内に配置され得る安定性要素４４０も備え得る。図４Ａおよび４Ｂに示されるようなアッパー４１０が、アッパー４１０の爪先領域内に少なくとも１つの編組部分をさらに備え得ることも、考えられる。さらに、またはその代わりに、アッパー４１０は、アッパー４１０の踵領域内に少なくとも１つの編組部分を備えてもよい。さらに、少なくとも１つの編組部分は、アッパー４１０の足中央領域からラスト内まで延在してもよく、および／または、サッカーシューズ４００のインソールが、足中央部全体を完全に包み込んでもよい。
【００６２】
図５は、本発明の別の態様によるサッカーシューズ５００の可能な実施形態の底面図を提示する。サッカーシューズ５００は、アッパー５１０、および３つの編組部分５２０を備え得る。さらに、サッカーシューズ５００は、透明な材料から製造され得るソール５３０を備え得る。図５に見られるように、３つの編組部分５２０は、アッパー５１０の内側部からサッカーシューズ５００のラストを通ってアッパー５１０の外側部まで延在し得る。さらに、またはその代わりに、サッカーシューズ５００は、インソール内に３つの編組部分５２０を備えてもよい。したがって、３つの編組部分５２０は、足中央部全体を完全に包み込むことができる。３つの編組部分５２０のそのような構成は、サッカー競技者の足中央部から地面へのエネルギー伝達のための最大限の可能な安定性を提供し得る。
【００６３】
以下において、本発明の理解を促進するために、さらなる実施形態を説明する。
【００６４】
１．靴紐を伴わないアッパー（２３５；４１０；５１０）であって、
ａ．長手方向に伸長されるように構成された少なくとも１つの編組部分（１００；４２０；５２０）と、
ｂ．少なくとも１つの編組なし部分（４３０）と、
を備え、
ｃ．少なくとも１つの編組部分（１００；４２０；５２０）を長手方向に伸長させることにより弾性的復元力が提供される、
アッパー（２３５；４１０；５１０）。
【００６５】
２．少なくとも１つの編組部分（１００；４２０；５２０）が、好ましくは足の楔状骨の領域に沿って、アッパー（２３５；４１０；５１０）の内側部から外側部まで少なくとも一部延在する、実施形態１に記載のアッパー（２３５；４１０；５１０）。
【００６６】
３．少なくとも１つの編組部分（１００；４２０；５２０）が、足中央領域を包み込む、実施形態１または２に記載のアッパー（２３５；４１０；５１０）。
【００６７】
４．アッパーの爪先領域内に少なくとも１つの編組部分をさらに備える、実施形態１〜３のいずれか１つに記載のアッパー（２３５；４１０；５１０）。
【００６８】
５．アッパーの踵領域内に少なくとも編組部分をさらに備える、実施形態１〜４のいずれか１つに記載のアッパー（２３５；４１０；５１０）。
【００６９】
６．少なくとも１つの編組部分（１００；４２０；５２０）を少なくとも一部包囲する少なくとも１つのチャネル（１５０）をさらに備える、実施形態１〜５のいずれか１つに記載のアッパー（２３５；４１０；５１０）。
【００７０】
７．アッパー（２３５；４１０；５１０）であって、
ａ．長手方向に伸長されるように構成された少なくとも１つの編組部分（１００；４２０；５２０）と、
ｂ．少なくとも１つの編組部分（１００；４２０；５２０）を少なくとも一部包囲する、少なくとも１つのチャネル（１５０）と、
を備え、
ｃ．少なくとも１つの編組部分（１００；４２０；５２０）を長手方向に伸長させることにより弾性的復元力が提供される、
アッパー（２３５；４１０；５１０）。
【００７１】
８．少なくとも１つのチャネル（１５０）が、アッパーの内側部から外側部まで少なくとも一部延在する、実施形態７に記載のアッパー（２３５；４１０；５１０）。
【００７２】
９．少なくとも１つのチャネル（１５０）が、足中央領域を包み込む、実施形態７または８に記載のアッパー（２３５；４１０；５１０）。
【００７３】
１０．アッパーの爪先領域内に、少なくとも１つのチャネルおよび少なくとも１つの編組部分をさらに備える、実施形態７〜９のいずれか１つに記載のアッパー（２３５；４１０；５１０）。
【００７４】
１１．アッパーの踵領域内に、少なくとも１つのチャネルおよび少なくとも１つの編組部分をさらに備える、実施形態７〜１０のいずれか１つに記載のアッパー（２３５；４１０；５１０）。
【００７５】
１２．少なくとも１つのチャネル（１５０）が、１２ｍｍから３０ｍｍ、好ましくは１４ｍｍから２６ｍｍ、より好ましくは１９ｍｍから２４ｍｍの幅を有する、実施形態６または７〜１１のいずれか１つに記載のアッパー（２３５；４１０；５１０）。
【００７６】
１３．少なくとも１つのチャネル（１５０）が、アッパーの外側表面上に配置される、実施形態６または７〜１２のいずれか１つに記載のアッパー（２３５；４１０；５１０）。
【００７７】
１４．少なくとも１つのチャネル（１５０）が、アッパー（２３５；４１０；５１０）内に組み込まれる、実施形態６または７〜１３のいずれか１つに記載のアッパー（２３５；４１０；５１０）。
【００７８】
１５．複数の編組部分（１００；４２０；５２０）のための複数のチャネル（１５０）を備える、実施形態７〜１４のいずれか１つに記載のアッパー（２３５；４１０；５１０）。
【００７９】
１６．複数のチャネル（１５０）が、アッパー（２３５；４１０；５１０）の少なくとも一部において複数の層によって形成される、実施形態１５に記載のアッパー（２３５；４１０；５１０）。
【００８０】
１７．少なくとも１つの層（１５０ａ）が、熱可塑性ポリウレタン、ＴＰＵを含む、実施形態１６に記載のアッパー（２３５；４１０；５１０）。
【００８１】
１８．少なくとも１つの層（１５０ｂ）が、メッシュを含む、実施形態１６または１７に記載のアッパー（２３５；４１０；５１０）。
【００８２】
１９．少なくとも１つの層が、ネオプレン材料を含む、実施形態１６〜１８のいずれか１つに記載のアッパー（２３５；４１０；５１０）。
【００８３】
２０．少なくとも１つの編組部分（１００；４２０；５２０）が、少なくとも１つのストラップ（１０５）として形成される、実施形態１〜６または７〜１９のいずれか１つに記載のアッパー（２３５；４１０；５１０）。
【００８４】
２１．少なくとも１つのストラップ（１０５）が、第１の合成ヤーン（１１０）および第２の合成ヤーン（１２０）を含み、第１の合成ヤーン（１１０）が、第２の合成ヤーン（１２０）とは異なる弾力性を有する、実施形態２０に記載のアッパー（２３５；４１０；５１０）。
【００８５】
２２．第２のヤーン（１２０）が、ストラップ（１０５）の向きに沿って軸方向に延在する、実施形態２１に記載のアッパー（２３５；４１０；５１０）。
【００８６】
２３．少なくとも１つの編組部分（１００；４２０；５２０）が、長手方向に予め伸長されるように、アッパー内に配置される、実施形態１〜６または７〜２２のいずれか１つに記載のアッパー（２３５；４１０；５１０）。
【００８７】
２４．少なくとも１つの編組部分（１００；４２０；５２０）が、異なる歪み範囲において異なる弾力性を提供するように構成される、実施形態１〜６または７〜２３のいずれか１つに記載のアッパー（２３５；４１０；５１０）。
【００８８】
２５．少なくとも１つの編組部分（１００；４２０；５２０）が、基本的に１００％の復元力を提供するように構成される、実施形態１〜６または７〜２４のいずれか１つに記載のアッパー（２３５；４１０；５１０）。
【００８９】
２６．少なくとも１つの編組部分（１００；４２０；５２０）が、その初期長さの２０％まで、好ましくは１０％まで、より好ましくは５％まで伸長されるように構成される、実施形態１〜６または７〜２５のいずれか１つに記載のアッパー（２３５；４１０；５１０）。
【００９０】
２７．実施形態１〜２６のいずれか１つに記載のアッパー（２３５；４１０；５１０）を備える靴（４００；５００）。
【００９１】
２８．ラスト内に少なくとも１つの編組部分（５２０）をさらに備える、実施形態２７に記載の靴（４００；５００）。
【００９２】
２９．インソール内に少なくとも１つの編組部分（５２０）をさらに備える、実施形態２７または２８に記載の靴（４００；５００）。
【００９３】
３０．実施形態１〜２６のいずれか１つに記載のアッパー（２３５；４１０；５１０）または実施形態２７〜２９のいずれか１つに記載の靴（４００；５００）を製造するための方法。
【００９４】
図に示されたまたは上述された様々な構成要素の配置だけでなく、図示または説明されていない構成要素およびステップも想定される。同様に、いくつかの特徴および部分的組合せが有益であり、かつ、他の特徴および部分的組合せに関係なく利用され得る。本発明の実施形態は、例示的かつ非限定的な目的のために説明されてきた。また、本特許の読者には、代替的実施形態が明らかになるであろう。したがって、本発明は、上述されたまたは図に示された実施形態に限定されるものではなく、以下の特許請求の範囲から逸脱することなく様々な実施形態および修正形態を作製することが可能である。
【符号の説明】
【００９５】
１００  編組部分
１０５  ストラップ
１１０  第１の合成ヤーン
１２０  第２の合成ヤーン
１５０  チャネル
１５０ａ  第１の層、編まれた層
１５０ｂ  第２の層
１５０ｃ  第３の層
１５２  第２の層、保護層
１５３  シーム
１６０  空洞
２００  方法ステップ
２１０  ステップ
２１３  甲革構成要素
２１６  カラー構成要素
２１９  踵構成要素
２２０  ステップ
２２５  ２次元的アッパー
２３０  ステップ
２３５  アッパー
４００  サッカーシューズ
４１０  アッパー
４２０  編組部分
４３０  編組なし部分
４４０  安定性要素
５００  サッカーシューズ
５１０  アッパー
５２０  編組部分
５３０  ソール
【図１Ａ】
2018064931.tif 000003
【図１Ｂ】
2018064931.tif 000004
【図１Ｃ】
2018064931.tif 000005
【図１Ｄ】
2018064931.tif 000006
【図１Ｅ】
2018064931.tif 000007
【図１Ｆ】
2018064931.tif 000008
【図２】
2018064931.tif 000009
【図３】
2018064931.tif 000010
【図４Ａ】
2018064931.tif 000011
【図４Ｂ】
2018064931.tif 000012
【図５】
2018064931.tif 000013
【外国語明細書】
2018064931000001.pdf